(57)【要約】  本方法は，位置追跡中の管理領域変更を通知するステップを提供する。位置報告セッション中に，第１管理領域から移動体ノードが離れたことが検出される。位置を測定するように構成された第１管理領域内の第１エンティティに接続できないかどうか判定される。接続できないときは，位置報告セッションを継続するために位置を測定するように構成された第２管理領域内の第２エンティティを指定するためのハンドオフ通知が開始される。
2008546343.tif 000002
【特許請求の範囲】
【請求項１】
位置報告セッション中に，第１管理領域から移動体ノードが離れたことを検出するステップと，
位置を測定するように構成した前記第１管理領域内の第１エンティティに接続できないかどうか判定するステップと，
接続できないときは，前記位置報告セッションを継続するために，位置を測定するように構成した第２管理領域内の第２エンティティを指定するためのハンドオフ通知を開始するステップと，
を有する方法。
【請求項２】
帰属位置サーバへのセキュアコネクションを設定するステップと，
前記位置報告セッションを再開始するために，セキュアユーザプレーン開始メッセージを送信するステップと，
を更に有する請求項１に記載の方法。
【請求項３】
前記の送信ステップにおける前記セキュアユーザプレーン開始メッセージは，移動機識別子，位置情報サービス相関識別子，位置パラメータ品質，期間パラメータ，現行サービス提供システム情報，又は測位モードパラメータを指定する請求項２に記載の方法。
【請求項４】
前記帰属位置サーバは，前記第１管理領域のサービス提供位置サーバに要求取消しメッセージを送信する請求項２に記載の方法。
【請求項５】
前記帰属位置サーバは，前記第１管理領域の前記第１エンティティに要求取消しメッセージを送信する請求項２に記載の方法。
【請求項６】
前記帰属位置サーバは，前記第２管理領域に対応するターゲット位置サーバのネットワークアドレスを有しないとき，前記ターゲット位置サーバの完全修飾ドメイン名を作成する請求項１に記載の方法。
【請求項７】
前記帰属位置サーバは，前記ターゲット位置サーバへのセキュアコネクションを設定し，該セキュアコネクションを介して位置サーバ要求メッセージを送信する請求項６に記載の方法。
【請求項８】
前記ターゲット位置サーバは，前記位置サーバ要求メッセージが承認されたエンティティからのものであることを検証する請求項７に記載の方法。
【請求項９】
前記ターゲット位置サーバは，前記第２エンティティのアドレス情報を前記帰属位置サーバへ返送する請求項７に記載の方法。
【請求項１０】
前記帰属位置サーバから前記アドレス情報を受信するステップと，
前記アドレス情報によって前記第２エンティティへのセキュアコネクションを設定するステップと，
を更に有する請求項９に記載の方法。
【請求項１１】
前記第２エンティティは，サービス種別に関連するデータを記録するために，前記ターゲット位置サーバにエンティティ報告メッセージを送信する請求項６に記載の方法。
【請求項１２】
前記ターゲット位置サーバは，サービス種別に関連するデータを記録するために，前記帰属位置サーバに位置サーバ報告メッセージを送信する請求項６に記載の方法。
【請求項１３】
前記各管理領域は，別々のセルラシステムに関連しており，前記第１エンティティ及び前記第２エンティティはそれぞれ位置測定エンティティ（ＰＤＥ）とする請求項１に記載の方法。
【請求項１４】
前記別々のセルラシステムは，スペクトラム拡散システムを含む請求項１３に記載の方法。
【請求項１５】
前記第１エンティティ及び前記第２エンティティは，インターネットプロトコル（ＩＰ）を用いる位置情報サービス基盤設備参照モデルによって動作する請求項１に記載の方法。
【請求項１６】
前記位置報告セッションは，移動機を追跡する定期セッション，前記移動機を追跡する１回のセッション，前記移動機を追跡する条件付きセッション，のいずれかに対応する請求項１に記載の方法。
【請求項１７】
位置報告セッション中に，第１管理領域から移動体ノードが離れたことを検出し，位置を測定するように構成した前記第１管理領域内の第１エンティティに接続できないかどうか判定するように構成したプロセッサと，
該プロセッサに接続された無線セクションであって，前記第１エンティティが接続できないときは，前記位置報告セッションを継続するために，位置を測定するように構成した第２管理領域内の第２エンティティを指定するためのハンドオフ通知を開始するように構成した無線セクションと，
を備える装置。
【請求項１８】
帰属位置サーバへのセキュアコネクションを設定し，前記プロセッサが前記位置報告セッションを再開始するために，セキュアユーザプレーン開始メッセージを発生する請求項１７に記載の装置。
【請求項１９】
前記セキュアユーザプレーン開始メッセージは，移動機識別子，位置情報サービス相関識別子，位置パラメータ品質，期間パラメータ，現行サービス提供システム情報，又は測位モードパラメータを指定する請求項１８に記載の装置。
【請求項２０】
前記帰属位置サーバは，前記第１管理領域のサービス提供位置サーバに要求取消しメッセージを送信する請求項１８に記載の装置。
【請求項２１】
前記帰属位置サーバは，前記第１管理領域の前記第１エンティティに要求取消しメッセージを送信する請求項１８に記載の装置。
【請求項２２】
前記帰属位置サーバは，前記第２管理領域に対応するターゲット位置サーバのネットワークアドレスを有しないとき，前記ターゲット位置サーバの完全修飾ドメイン名を作成する請求項１７に記載の装置。
【請求項２３】
前記帰属位置サーバは，前記ターゲット位置サーバへのセキュアコネクションを設定し，該セキュアコネクションを介して位置サーバ要求メッセージを送信する請求項２２に記載の装置。
【請求項２４】
前記ターゲット位置サーバは，前記位置サーバ要求メッセージが承認されたエンティティからのものであることを検証する請求項２３に記載の装置。
【請求項２５】
前記ターゲット位置サーバは，前記第２エンティティのアドレス情報を前記帰属位置サーバへ返送する請求項２３に記載の装置。
【請求項２６】
前記プロセッサを，前記帰属位置サーバから前記アドレス情報を受信し，前記アドレス情報によって前記第２エンティティへのセキュアコネクションの設定を開始するように更に構成した請求項２５に記載の装置。
【請求項２７】
前記第２エンティティは，サービス種別に関連するデータを記録するために，前記ターゲット位置サーバにエンティティ報告メッセージを送信する請求項２２に記載の装置。
【請求項２８】
前記ターゲット位置サーバは，サービス種別に関連するデータを記録するために，前記帰属位置サーバに位置サーバ報告メッセージを送信する請求項２２に記載の装置。
【請求項２９】
前記各管理領域は，別々のセルラシステムに関連しており，前記第１エンティティ及び前記第２エンティティはそれぞれ位置測定エンティティ（ＰＤＥ）とする請求項１７に記載の装置。
【請求項３０】
前記別々のセルラシステムは，スペクトラム拡散システムを含む請求項２９に記載の装置。
【請求項３１】
前記第１エンティティ及び前記第２エンティティは，インターネットプロトコル（ＩＰ）を用いる位置情報サービス基盤設備参照モデルによって動作する請求項１７に記載の装置。
【請求項３２】
前記位置報告セッションは，移動機を追跡する定期セッション，前記移動機を追跡する１回のセッション，前記移動機を追跡する条件付きセッション，のいずれかに対応する請求項１７に記載の装置。
【請求項３３】
移動体ノードが別の管理領域から新規管理領域に入ったとき，追跡セッションに対応する情報を規定するメッセージを前記移動体ノードから受信するステップと，
前記移動体ノードにサービスを提供するために，前記新規管理領域内の新規サービス提供位置サーバを特定するステップと，
前記新規管理領域内で前記セッションを継続するために，前記新規管理領域内の新規位置測定エンティティ（ＰＤＥ）を指定するステップと，
を有する方法。
【請求項３４】
前記別の管理領域内の位置測定エンティティ（ＰＤＥ）は，プライベートアドレスを有する請求項３３に記載の方法。
【請求項３５】
前記別の管理領域内の位置測定エンティティ（ＰＤＥ）は，前記新規管理領域に入ったことを示すエラーメッセージを前記移動体ノードに転送する請求項３４に記載の方法。
【請求項３６】
前記の特定ステップ及び指定ステップは，前記移動体ノードと通信することが承認されている承認済みノードが実行する請求項３４に記載の方法。
【請求項３７】
前記承認済みノードは，帰属位置サーバを含む請求項３６に記載の方法。
【請求項３８】
前記承認済みノードは，前記新規管理領域内にある請求項３６に記載の方法。
【請求項３９】
前記移動体ノードが，前記新規サービス提供位置サーバを決定する請求項３３に記載の方法。
【請求項４０】
前記各管理領域は，別々のセルラシステムに関連する請求項３３に記載の方法。
【請求項４１】
前記別々のセルラシステムは，スペクトラム拡散システムを含む請求項３３に記載の方法。
【請求項４２】
前記新規ＰＤＥは，インターネットプロトコル（ＩＰ）を用いる位置情報サービス基盤設備参照モデルによって動作する請求項３３に記載の方法。
【請求項４３】
前記位置報告セッションは，移動機を追跡する定期セッション，前記移動機を追跡する１回のセッション，前記移動機を追跡する条件付きセッション，のいずれかに対応する請求項３３に記載の方法。
【請求項４４】
移動体ノードが別の管理領域から新規管理領域に入ったとき，追跡セッションに対応する情報を規定するメッセージを前記移動体ノードから受信するように構成した通信インタフェースと，
前記通信インタフェースに接続したプロセッサであって，前記移動体ノードにサービスを提供するために，前記新規管理領域内の新規サービス提供位置サーバを特定するように構成し，前記新規管理領域内で前記セッションを継続するために，前記新規管理領域内の新規位置測定エンティティ（ＰＤＥ）を指定するように更に構成したプロセッサと，
を備える装置。
【請求項４５】
前記別の管理領域内の位置測定エンティティ（ＰＤＥ）は，プライベートアドレスを有する請求項４４に記載の装置。
【請求項４６】
前記別の管理領域内の位置測定エンティティ（ＰＤＥ）は，前記新規管理領域に入ったことを示すエラーメッセージを前記移動体ノードに転送する請求項４５に記載の装置。
【請求項４７】
前記移動体ノードが，前記新規サービス提供位置サーバを決定する請求項４４に記載の装置。
【請求項４８】
前記各管理領域は，別々のセルラシステムに関連する請求項４４に記載の装置。
【請求項４９】
前記別々のセルラシステムは，スペクトラム拡散システムを含む請求項４４に記載の装置。
【請求項５０】
前記新規ＰＤＥは，インターネットプロトコル（ＩＰ）を用いる位置情報サービス基盤設備参照モデルによって動作する請求項４４に記載の装置。
【請求項５１】
請求項４４に記載の装置を備える通信システム。
【請求項５２】
位置報告セッション中に，第１管理領域から移動体ノードが離れたことを検出する手段と，
位置を測定するように構成した前記第１管理領域内の第１エンティティに接続できないかどうか判定する手段と，
接続できないときは，前記位置報告セッションを継続するために，位置を測定するように構成した第２管理領域内の第２エンティティを指定するためのハンドオフ通知を開始する手段と，
を備える装置。
【請求項５３】
帰属位置サーバへのセキュアコネクションを設定する手段と，前記位置報告セッションを再開始するために，セキュアユーザプレーン開始メッセージを送信する手段と，を更に備える請求項５２に記載の装置。
【請求項５４】
移動体ノードが別の管理領域から新規管理領域に入ったとき，追跡セッションに対応する情報を規定するメッセージを前記移動体ノードから受信する手段と，
前記移動体ノードにサービスを提供するために，前記新規管理領域内の新規サービス提供位置サーバを特定する手段と，
前記新規管理領域内で前記セッションを継続するために，前記新規管理領域内の新規位置測定エンティティ（ＰＤＥ）を指定する手段と，
を備える装置。
【請求項５５】
前記別の管理領域内の位置測定エンティティ（ＰＤＥ）は，プライベートアドレスを有する請求項５４に記載の装置。
【請求項５６】
移動体ノードが別の管理領域から新規管理領域に入ったとき，追跡セッションに対応する情報を規定するメッセージを前記移動体ノードから受信するように構成したノードと，
前記別の管理領域内の前記移動体ノードの位置を測定し，前記ノードと通信するように構成した位置測定エンティティ（ＰＤＥ）であって，
前記ノードは，前記移動体ノードにサービスを提供するために，前記新規管理領域内の新規サービス提供位置サーバを特定し，前記新規管理領域内で前記セッションを継続するために，前記新規管理領域内の新規位置測定エンティティ（ＰＤＥ）を指定するように更に構成した位置測定エンティティと，
を備えるシステム。
【請求項５７】
前記各管理領域は，別々のセルラシステムに関連する請求項５６に記載のシステム。
【請求項５８】
位置報告セッション中に，第１管理領域から移動体ノードが離れたことを検出し，位置を測定するように構成した前記第１管理領域内の第１エンティティに接続できないかどうか判定するように構成したプロセッサであって，
前記第１エンティティが接続できないときは，前記位置報告セッションを継続するために，位置を測定するように構成した第２管理領域内の第２エンティティを指定するためのハンドオフ通知を開始する信号通知が開始される，
プロセッサを備える装置。
【請求項５９】
帰属位置サーバへのセキュアコネクションを設定し，前記プロセッサが前記位置報告セッションを再開始するために，セキュアユーザプレーン開始メッセージを発生する請求項５８に記載の装置。
【発明の詳細な説明】
【技術分野】
【０００１】
本発明の種々の例示実施例は，概略通信に関し，より特定すれば移動体ノードの追跡に関する。
【背景技術】
【０００２】
セルラシステム（例えば，（符号分割多元接続（ＣＤＭＡ）ネットワークのような）スペクトラム拡散システム，又は時間分割多元接続（ＴＤＭＡ）ネットワーク）のような無線通信システムは，ユーザに移動できる利便性並びに豊富なサービス及び特徴を提供する。この利便性は，業務用及び私用の通信において受け入れられる方法として益々増加する消費者に採用されるようになった。より広く採用されるように，製造事業者からサービス提供事業者に至る通信業界は，上記の種々のサービス及び特徴を支える通信プロトコル標準を開発するために多大な出費及び努力を行うことに合意した。努力すべき１つのかぎとなる分野は，特にローミング中の移動体ユーザの位置を測定することである。不幸にも現行のプロトコルは，この位置機能に効果的に対応しない。
【０００３】
したがって，別々の管理領域内の移動体ユーザのローミングを処理する方法が必要である。
【発明の開示】
【課題を解決するための手段】
【０００４】
本発明の種々の実施例によってあれやこれやの要望が処理され，ある方法によって位置追跡中の管理領域変更の信号通知が行われる。
【０００５】
本発明の実施例の第１態様によれば，位置報告セッション中に，第１管理領域から移動体ノードが離れたことを検出するステップを有する方法が提供される。この方法はまた，位置を測定するように構成した上記第１管理領域内の第１エンティティに接続できないかどうか判定するステップを有する。更に接続できないとき，この方法は上記位置報告セッションを継続するために，位置を測定するように構成した第２管理領域内の第２エンティティを指定するために，ハンドオフ通知を開始するステップを有する。
【０００６】
本発明の実施例の別の態様によれば，位置報告セッション中に，第１管理領域から移動体ノードが離れたことを検出し，位置を測定するように構成した上記第１管理領域内の第１エンティティに接続できないかどうか判定する，ように構成したプロセッサを備える装置が，提供される。この装置はまた，該プロセッサに接続された無線セクションであって，上記第１エンティティが接続できないときは，上記位置報告セッションを継続するために，位置を測定するように構成した第２管理領域内の第２エンティティを指定するために，ハンドオフ通知を開始するように構成した無線セクションを備える。
【０００７】
本発明の実施例の別の態様によれば，移動体ノードが別の管理領域から新規管理領域に入ったとき，追跡セッションに対応する情報を規定するメッセージを上記移動体ノードから受信するステップを有する方法が提供される。またこの方法は，上記移動体ノードにサービスを提供するために，上記新規管理領域内の新規サービス提供位置サーバを特定するステップを有する。更にこの方法は，上記新規管理領域内で上記セッションを継続するために，上記新規管理領域内の新規位置測定エンティティ（ＰＤＥ）を指定するステップを有する。
【０００８】
本発明の実施例の別の態様によれば，移動体ノードが別の管理領域から新規管理領域に入ったとき，追跡セッションに対応する情報を規定するメッセージを上記移動体ノードから受信するように構成した通信インタフェースを備える装置が提供される。この装置はまた，上記通信インタフェースに接続したプロセッサであって，上記移動体ノードにサービスを提供するために，上記新規管理領域内の新規サービス提供位置サーバを特定するように構成したプロセッサを備える。このプロセッサは，上記新規管理領域内で上記セッションを継続するために，上記新規管理領域内の新規位置測定エンティティ（ＰＤＥ）を指定するように更に構成される。
【０００９】
本発明の実施例の別の態様によれば，位置報告セッション中に，第１管理領域から移動体ノードが離れたことを検出する手段を備える装置が提供される。この装置はまた，位置を測定するように構成した上記第１管理領域内の第１エンティティに接続できないかどうか判定する手段を備える。更にこの装置は，接続できないときは，上記位置報告セッションを継続するために，位置を測定するように構成した第２管理領域内の第２エンティティを指定するために，ハンドオフ通知を開始する手段を備える。
【００１０】
本発明の実施例の別の態様によれば，移動体ノードが別の管理領域から新規管理領域に入ったとき，追跡セッションに対応する情報を規定するメッセージを上記移動体ノードから受信する手段を備える装置が提供される。この装置はまた，上記移動体ノードにサービスを提供するために，上記新規管理領域内の新規サービス提供位置サーバを特定する手段を備える。更にこの装置は，上記新規管理領域内で上記セッションを継続するために，上記新規管理領域内の新規位置測定エンティティ（ＰＤＥ）を指定する手段を備える。
【００１１】
本発明の実施例のまた別の態様によれば，移動体ノードが別の管理領域から新規管理領域に入ったとき，追跡セッションに対応する情報を規定するメッセージを上記移動体ノードから受信するように構成したノードを備えるシステムが提供される。このシステムはまた，上記別の管理領域内の上記移動体ノードの位置を測定し，上記ノードと通信するように構成した位置測定エンティティ（ＰＤＥ）を備える。更にこのノードは，上記移動体ノードにサービスを提供するために，上記新規管理領域内の新規サービス提供位置サーバを特定し，上記新規管理領域内で上記セッションを継続するために，上記新規管理領域内の新規位置測定エンティティ（ＰＤＥ）を指定するように更に構成される。
【００１２】
本発明の更に別の態様と，特徴と，利点とは，以降の詳細な説明によって直ちに明白となる。この説明は，本発明を実行することが期待される最良の方法を含むいくつかの特定の実施例及び実現例を単に例示する。本発明にはまた別の実施例も可能であり，そのいくつかの詳細はすべて，本発明の精神及び範囲を逸脱することなく種々の明白な点で修正可能である。したがって本願の図面及び明細書は，本質的に例示的であって制約的ではないものと認識されたい。
添付の図面は，例として本発明を示すものであり，それに限定するものではない。また類似の参照番号は，類似の要素を指すものとする。
【発明を実施するための最良の形態】
【００１３】
無線通信ネットワークにおいて位置追跡中に管理領域変更を処理するように通知する装置と，方法と，ソフトウェアと，を説明する。以降の説明において，説明を目的として，本発明を完全に理解できるように多くの特定の詳細が述べられている。しかし当業者であれば，本発明をこれらの特定の詳細を用いないで，すなわち均等な構成によって実施することができるのは明白である。別の事例においては，不必要に本発明を不明りょうにしないために，周知の構造及びデバイスはブロック図で示すこととする。
【００１４】
本発明は，（セルラシステムのような）無線通信ネットワークに関して説明するが，当業者であれば本発明は，地上システムを含む任意の種類の通信システムに適用できることが分かるであろう。更に本発明の種々の実施例はインターネットプロトコル（ＩＰ）を用いた位置情報サービスに関して説明しているが，これらの実施例はほかの通信プロトコル及びアーキテクチャに適用可能であることが期待される。
【００１５】
図１は，本発明の実施例によって移動機の位置情報が利用される種々のアプリケーションに対応する無線システムアーキテクチャの図である。本発明の一実施例によれば，無線ネットワーク１００は１又は複数の移動機（ＭＳ）１０１を含み，１つのＭＳ１０１が無線インタフェースを介して接続ネットワーク（ＡＮ）１０３と通信しているように示されている。ここで用いる「移動機」すなわち「移動体ノード」という用語は，接続端末（ＡＴ）又は任意の移動体ユニット又は移動体デバイスを含んでもよく，一方接続ネットワーク１０３は無線基地局であってもよい。この例においてＭＳ１０１は，ユーザにデータ接続を提供するデバイスである。例えばＭＳ１０１は，パーソナル計算機，パーソナルデジタルアシスタント，等のような計算システム又はデータサービスが可能な携帯電話機と接続することができる。ＡＮ１０３は，大域インターネットのようなパケット交換データネットワーク１０５と，ＭＳ１０１との間のデータ接続を提供するネットワーク要素であってよい。
【００１６】
例としてシステム１００はｃｄｍａ２０００システムであってもよい。そのようなシステムは，TSG-C.S0024-IS-856，"cdma2000 High Rate Packet Data Air Interface Specification"，に詳細が記載されており，ここにその全体を参照する。
【００１７】
ＭＳ１０１の位置測定は，システム１００が支援するサービスにおいて重要な役割を持つ。システムは，インターネットプロトコル（ＩＰ）を用いる位置情報サービス（ＩＰ−ＬＣＳ）に対応する無線通信ネットワークであってもよい。セルラシステム内をローミングするユーザの（１回又は定期の）追跡は，例えば複数の運用事業者領域が関係するとき特に技術的な問題を生じる。移動機又はユーザの定期追跡は，第３世代パートナシッププロジェクト２（３ＧＰＰ２）のＩＰ−ＬＣＳ仕様書，TSG-X(CSN) X.P0024-04 v0.13及びオープンモバイルアライアンス（ＯＭＡ）のセキュアユーザプレーン位置情報（ＳＵＰＬ）仕様書（OMA-RD-SUPL-V1_0-20040930-C）に記載されており，ここに双方の全体を参照する。ネットワークが定期セッションを用いる位置情報利用エージェント（ＬＢＡ）又は移動機を用いたＬＢＡを起動すると，移動機又はユーザの位置が定期的に追跡され，ＬＢＡに供給される。そしてＬＢＡは，移動機又はユーザの現在位置を用いて適切なサービスを提供する。
【００１８】
ＡＮ１０３は，パケット制御機能（ＰＣＦ）１０９を介してパケットデータサービスノード（ＰＤＳＮ）１０７と通信する。ＡＮ１０３又はＰＣＦ１０９のいずれかが，ＳＣ／ＭＭ（セッション制御及び移動性管理）機能を提供し，この機能はほかの機能のうち，高速パケットデータ（ＨＲＰＤ）セッション関連情報の記憶と，ＭＳ１０１がネットワーク１０３に接続したとき，ＭＳ１０１が認証されているかどうかを判定する認証手続の実行と，ＭＳ１０１の位置の管理と，を含む。ＰＣＦ１０９については，3GPPS A.S0001-A v2.0，"3GPPS Access Network Interfaces Interoperability Specification"，２００１年６月，に更に詳細に記載されており，ここにその全体を参照する。
【００１９】
更にＡＮ１０３は，ＡＮに端末認証及び承認機能を提供するＡＮ  ＡＡＡ（認証，承認及び課金）エンティティ１１１と通信する。
【００２０】
例としてＡＮ１０３は，高データ速度サービスに対応する高データ速度（ＨＤＲ）無線基地局を含む。無線基地局は，ＭＳ１０１とネットワーク１０３との間で１又は複数の送受信器を介した無線周波（ＲＦ）インタフェース（搬送波）を供給することを理解されたい。無線基地局は，ＨＤＲ無線基地局がサービスを提供する各セクタ（又はセル）１１３に，高データ速度アプリケーション用の個別データ専用（ＤＯ）搬送波を供給することができる。個別の無線基地局又は搬送波（図示していない）が，音声アプリケーション用の音声搬送波を供給する。ＭＳ１０１は，ＤＯ接続端末，又は音声サービス及びデータサービス双方を利用できる２重モード移動機であってもよい。データセッションを実行するためにＭＳ１０１は，ＤＯ高速データサービスを用いるためにＤＯ搬送波に接続する。データセッションはＰＤＳＮ１０７によって制御され，ＰＤＳＮはＭＳ１０１とインターネット１０５との間ですべてのデータパケットを配信する。
【００２１】
図１に示すように，ＰＤＳＮ１０７はＰＣＦ１０９に直接のコネクションを有しており，ＰＣＦはＨＤＲ無線基地局の無線基地局制御装置（ＢＳＣ）（図示していない）と接続している。ＢＳＣは，ＨＤＲ無線基地局の運用，維持及び管理と，音声符号化と，速度適応と，無線資源の操作と，を行う。ＢＳＣは個別ノードであってもよいし，１又は複数のＨＤＲ無線基地局と併設してもよい。
【００２２】
各ＨＤＲ無線基地局は，複数（例えば３）のセクタ（又はセル）１１３にサービスを提供することができる。しかし各ＨＤＲ無線基地局は，１つのセル（１つの包括セルを指す）だけにサービスを提供することができることを理解されたい。またネットワーク１０３は複数のＨＤＲ無線基地局を含むことができ，各無線基地局は１又は複数のセクタにサービスを提供することができ，ＨＤＲ移動機１０１は同一ＨＤＲ無線基地局の各セクタ又は別のＨＤＲ無線基地局の各セクタ１１３間でハンドオフできることを理解されたい。各セクタ（又はセル）１１３に対して，ＨＤＲ無線基地局は更に１つの共有の時間分割多重（ＴＤＭ）下りリンクを用い，同時にはただ１つのＨＤＲ移動機１０１にサービスが提供される。下りリンクのスループットは，すべてのＨＤＲ移動機１０１が共有する。ＨＤＲ移動機１０１は，そのデータ速度制御（ＤＲＣ）がセクタ１１３を指すようにし，チャネル条件に応じて（すなわちチャネルの搬送波対干渉（Ｃ／Ｉ）比を基礎にして）下りデータ速度を要求することによって，ＨＤＲ無線基地局のサービス提供セクタ（又はセル）１１３を選択する。
【００２３】
図２は，本発明の実施例によるインターネットプロトコル（ＩＰ）を用いた位置情報サービス（ＬＣＳ）参照モデルのブロック図である。通信システム２００は帰属ネットワーク２０１及び在圏ネットワーク２０３を含み，それらはデータネットワーク２０５（例えば大域インターネットであってもよい）を介して相互接続されている。また通信システムのうち帰属ネットワーク部分は，帰属ネットワークを運用する通信事業者のＩＰネットワークを含む。ここでＩＰネットワークは，無線ネットワーク運用事業者（ＷＮＯ）ＩＰネットワークと呼ばれる。ここで帰属位置サーバ（帰属ＰＳ）と呼ばれるネットワークに置かれたエンティティはネットワークに接続されており，加入，課金及び接続制御の機能を有する。
【００２４】
位置情報サービスは，無線（例えばＣＤＭＡ）ネットワークにおいて提供される，ターゲットＭＳ（又はノード）２０７の地理的位置情報を伝達，計算及び配信する枠組みである。この位置情報サービスを支援する通信システム２００内のネットワーク要素は，「移動体測位センタ」と見なすことができる。この移動体測位センタは，位置情報サービスクライアントからターゲットＭＳ２０７の位置測定要求を受け付け，認証，承認及び課金（ＡＡＡ）機能を成すと共に，資源の発見及び指定を制御する。
【００２５】
本発明の種々の実施例による移動機の位置追跡は，定期追跡と，１回すなわち単一の追跡と，「延期」（すなわち条件付き）追跡と，のシナリオを含んでもよい。延期追跡要求によれば，移動機の位置情報は（例えば時間又は事象による）特定の条件が発生したとき，取得される。例えば位置情報は，将来のある時点で，移動機が特定の位置に移動したとき，などに供給される。このように，移動機がこの条件が発生するのを待っている間に移動機の領域が変化すると，ハンドオフ信号通知が行われる。
【００２６】
ローミング処理中移動機又はユーザは，ある管理領域から別の管理領域に出ることがある。すなわちＭＳ２０７は帰属ネットワーク２０１を離れて，在圏ネットワーク２０３へ入る。追跡セッション中にこの条件が発生すると，本アプリケーションが提供するサービスは影響を受ける。特に現在移動機又はユーザが自己の位置を測定することを支援している在圏ネットワーク又は帰属ネットワーク（例えばネットワーク２０３及び２０１）内の（例えば位置測定エンティティ（ＰＤＥ）など）位置測定用に指定されたエンティティが，（例えばＩＰアドレスなどの）プライベートの，大域的には経路制御できないネットワークアドレスを有するときが該当する。この場合，ＩＰパケットがＰＤＥに届かないので，ＭＳ２０７と前のネットワーク内のＰＤＥとは，もはや通信することができない。更にプライベートアドレスは局所的適用範囲を有するので，大域的に唯一である必要はない。したがって移動機が前の，すなわち古いＰＤＥに送信したメッセージはどれも，新規ネットワーク内の有効なノードに実際に届くかも知れず，その場合新規ネットワークは単にパケットを脱落させることになる（例えばＩＰ−ＬＣＳアーキテクチャの一部ではない場合）。（ＰＤＥ及びＰＤＥ２のような）同一プライベートアドレスを有するＬＣＳアーキテクチャの一部である新規ネットワーク内のノードがあるときは，ノードはこれを不要な情報，又は例えばサービス拒否（ＤｏＳ）攻撃と認識するかも知れない。またこれらのメッセージはセキュリティアソシエーションを用いて保護されているので，ＰＤＥ２はこのメッセージの内容を識別することはできない。したがってＰＤＥ２は，セキュリティかぎが紛失したことを示すエラーメッセージ，又は単にメッセージを認証できないというエラーメッセージを，ＭＳへ返送するかも知れない。通常のＩＰ−ＬＣＳアーキテクチャはこのシナリオを考慮することができず，したがってこの問題に何の方法も提供しない。
【００２７】
システム２００において，帰属ネットワーク２０１はターゲットＭＳ２０７にサービスを提供する無線パケットデータネットワークである。すなわち，ＭＳ２０７は帰属ネットワーク２０１の加入者端末である。
【００２８】
在圏ネットワーク２０３は，帰属ネットワーク２０１以外でターゲットＭＳ２０７への通信サービスを支援することができる任意の無線パケットデータネットワークを指定する。このシナリオでサービス提供ネットワークは，ターゲットＭＳ２０７が「帰属元にある」ときは帰属ネットワーク２０１，又はターゲットＭＳ２０７がローミングしているときは在圏ネットワーク２０３，のいずれであってもよい。
【００２９】
位置サーバは，ターゲットＭＳの位置情報を測定するためＩＰ−ＬＣＳ信号通知を要求エンティティと調整するネットワークエンティティである。例示実施例においては，帰属ＰＳ２０８及びサービス提供ＰＳ２０９は，２つの別の機能として実現できるが，物理的に併設してもよい。位置サーバは，ターゲットＭＳ２０７の位置推定要求の受け入れ及びそれへの応答と，認証と，サービス承認と，プライバシ制御と，課金と，位置測定エンティティ（ＰＤＥ）のような位置測定資源割当てと，そのほかと，の機能を実行する。
【００３０】
ターゲットＭＳ２０７は，ＬＣＳクライアント（例えばクライアント２１１，２１３，２１５又は２１７）がその位置情報を要求したＭＳである。換言すればＬＣＳクライアントは，位置情報サービスを開始し，ターゲットＭＳに関連する地理的位置情報を受信するアプリケーション，又はほかのエンティティを成す。位置情報サービスクライアントは，位置情報サービスを開始し，ＭＳのようなターゲットＭＳの地理的位置情報を受信することができる。
【００３１】
したがってＬＣＳクライアントは，特定の移動機に関する位置情報を取得するために，ＬＣＳサーバと対話するソフトウェアエンティティ及び／又はハードウェアエンティティである。ＬＣＳクライアントは，データのフォーマット及び提示，並びに対話の管理を行う。ＬＣＳクライアントは移動機内に常駐してもよい。ＬＣＳクライアントは，種々の実施例によれば任意の数のコンポーネント，例えば帰属ネットワーク２０１のネットワークＬＣＳクライアント２１１，無線ネットワーク２０１及び２０３双方の外部にある外部ＬＣＳクライアント２１３，在圏ネットワーク２０３のネットワークＬＣＳクライアント２１５，に常駐することができる。またＬＣＳクライアント２１７は，ターゲットＭＳ２０７内にも常駐することができる。このようにＬＣＳクライアントは，無線パケットデータネットワーク（例えばネットワーク２０１又は２０３）におけるＬＣＳサーバ機能へのインタフェースとして働く。
【００３２】
在圏ネットワーク２０３は，ＭＳ２０７が接続している無線基地局制御装置及びパケット制御機能（ＢＳＣ／ＰＣＦ）２１９を含む。ＢＳＣは，１又は複数の無線基地局装置（ＢＴＳ）（図示していない）の制御及び管理を行うエンティティである。このコネクションは，無線インタフェース上で規定される無線チャネル及びＢＳＣ／ＰＣＦ２１９に延びるネットワークコネクション双方を表す。ＰＣＦは接続ゲートウェイと接続して，ＭＳ２０７とインターネットプロトコル（ＩＰ）マルチメディアコアネットワークとの間のベアラストリームを支援する。ＢＳＣ／ＰＣＦ２１９は次に，パケットデータサポートノード（ＰＤＳＮ）２２１に接続される。
【００３３】
図示したとおり在圏ネットワーク２０３は，位置測定エンティティ（ＰＤＥ）２２３のような位置を測定する１又は複数のエンティティを含む。定期セッション中ターゲットＭＳ２０７の位置を測定することを補助するために，特定の位置測定エンティティを指定することができる。したがってＭＳ２０７が現在存在するＰＤＥの管理領域と異なる管理領域に移動したとき，新規位置測定エンティティはそのようなサービスを提供しないかも知れないので，この定期セッションは失敗する。これは，ＭＳ２０７がそのサービス領域から出たこと，又は元の位置測定エンティティが大域的には経路制御できないネットワークアドレス（例えばＩＰアドレス）を有し，したがってこの位置測定エンティティがＭＳ２０７と接続できないこと，のいずれかによる。この認識された課題は，従来の方法では適切に処理されない。
【００３４】
以降に説明する図３に示す処理は，位置追跡を支援する位置測定エンティティ間のハンドオフのための効果的方法を提供する（任意の追跡シナリオ，すなわち１回，延期，又は定期，のどれでも）。
【００３５】
図３は，本発明の実施例による管理領域外にある移動機に関連するハンドオフ処理のフローチャートである。ステップ３０１においてＭＳ２０７がその管理領域，例えば帰属ネットワーク２０１から在圏ネットワーク２０３へ移動したことが検出，又は別の方法で判定される。ＭＳがこの判定を行うために用いることができるいくつかの例示方法は，次のとおりである。（ｉ）新規ネットワークにおいて信号チャネル上の同報情報を受信する。（ｉｉ）移動機のＩＰアドレスが変わったことなどを検出する。このような検出は，ルータ広告（router advertisement）又はセルＩＤ情報のような別の情報によって行うことができる。そしてステップ３０３において，サービス提供位置測定エンティティに接続可能かどうかの判定が行われる。サービス提供位置測定エンティティに接続できないときは，ＭＳ２０７はＰＤＥハンドオフのための信号通知を開始する（ステップ３０５及び３０７）。
【００３６】
ハンドオフ処理について図４〜６を用いてより十分に説明する。例示のために，定期追跡に関してハンドオフ処理を説明する。しかし，そのようなハンドオフ手続は，単一追跡シナリオ及び延期追跡シナリオにも適用できることを理解されたい。
【００３７】
本発明の一実施例によれば，ＰＤＥハンドオフに関する課題を処理するために，２つの動作モードが考慮される。（１）非プロキシモード。このモードではＭＳ２０７がサービス提供ネットワークノードへの直接通信を設定する。（２）プロキシモード。このモードではＭＳ２０７がサービス提供ネットワークと間接通信を設定する。すなわち移動機は，帰属ＰＳを介して帰属ネットワークと通信する。移動機が現在ローミング中のネットワークは，帰属ネットワーク２０１又は在圏ネットワーク２０３である。
【００３８】
図４は，本発明の実施例による，位置測定エンティティ（ＰＤＥ）がプライベートネットワークアドレスを有するとき（非プロキシモードの場合），信号を供給するプロトコルのフロー図である。例示のためにＰＤＥはＰＤＥ１及びＰＤＥ２（図中ではそのようには記されていない）として説明され，ＭＳ２０７の位置によって，ターゲットＰＤＥ又はサービス提供ＰＤＥの役割を想定する。類似して関連位置サーバは，ＰＳ１及びＰＳ２と呼ばれる。この場合，例えば帰属ネットワーク２０１にローミングしているＭＳ２０７は，ＰＤＥ１及びＰＳ１と通信している。ＰＤＥ１はプライベートアドレス（大域的には経路制御できないアドレス又はサイトの局所アドレス）を有する。次にＭＳ２０７は，在圏ネットワーク２０３のような別のネットワークに移動する。定期セッションについて，ＰＤＥ１が始めＭＳ２０７に指定されていたとき，ＭＳ２０７はＰＤＥ１がプライベートアドレスを有することを確認することができる。
【００３９】
ステップ４０１において，定期位置報告セッションが実行中である。前に説明したように，ＭＳ２０７が新規運用事業者のネットワーク（例えば在圏ネットワーク２０３）のような新規管理領域に移動したとき，ＭＳ２０７はそれが新規管理領域であることを判定する。例示実施例によれば本発明は，実行中の定期位置要求を監視し，管理領域変更を処理するために，実行中の位置信号通知を修正するトリガを作る機構を提供する。このトリガが作られるとＭＳ２０７は，取消しメッセージ（例えば，SUPL_CANCELメッセージ）を利用してＭＳ２０７が開始した定期位置報告を取り消すことができる。
【００４０】
ＭＳ２０７はステップ４０３において管理領域の変更を発見し，新規領域，及び任意選択で新規ＰＤＥが必要であること，を指示するメッセージを帰属ＰＳへ送信する（ステップ４０５）。ＭＳ２０７がどのように位置変更を判定するかにかかわらず，ＭＳ２０７は，定期セッションが実行中であり，現在のサービス提供ＰＤＥ（すなわちＰＤＥ１）に届けるべきメッセージがすべてはうまく届かないことを知っている。したがってＭＳ２０７内のＬＣＳクライアントにトリガが送信され，ＭＳ２０７が新規ネットワークにおいて定期セッションを再開できるように，新規ネットワークにおいて適切な状態を再設定するために適切な手立てを講じる。例示実施例においてＭＳ２０７はまた，セッション中に残っている追跡期間の数を示す。したがってＭＳ２０７は，帰属ＰＳ２０８へのメッセージ送信を開始する。このメッセージは，帰属ＰＳがＭＳ２０７に関係する追跡セッションを識別するための情報を含む。
【００４１】
これに応答して帰属ＰＳ２０８は，ステップ４０７に示すとおりドメイン名サーバ（ＤＮＳ）参照手続によってターゲットＰＳのネットワークアドレス（例えばＩＰアドレス）を発見しようとする。帰属ＰＳは，ＭＳ２０７の完全修飾ドメイン名（ＦＱＤＮ）を用いて新規ネットワークにおける移動機の新規サービス提供ＰＳ（ＰＳ２）を識別する。ＰＳ２と調整して，新規ＰＤＥ（ＰＤＥ２）がＭＳ２０７に指定される。あるいは帰属ＰＳ２０８は，移動機の現在のＩＰアドレスを用いて，新規サービス提供ＰＳを発見してもよい。
【００４２】
その後，新規かぎを発生させる任意選択処理を行ってもよい（ステップ４０９）。ＭＳ２０７とＰＤＥ２との間の更なる通信を保護するために，新規のセキュリティかぎ集合を設定してもよい。しかしこれによって，更なる通信の前にＭＳ２０７とＰＤＥ２との間でＴＬＳ−ＰＳＫ（トランスポート層セキュリティ−事前共有かぎ）ハンドシェークを行う必要が生じる。ＴＬＳは，２つのエンティティ間でセキュアチャネルを設定すると共に，相互認証と，保護された暗号スイート（ｓｕｉｔe）調停と，かぎ交換と，を行う認証プロトコルである。ＴＬＳハンドシェークは，相互認証及びかぎ交換のために証明書及び公開かぎ基盤（ＰＫＩ）を用いる。ＭＳ２０７とＰＤＥ１との間の通信を保護するためのセッションかぎを得るために用いられたかぎがＰＤＥ２に送信される場合は，いくつかのＴＬＳ−ＰＳＫハンドシェークメッセージを節約することができる。双方の場合移動機は，自己がＰＤＥ２との通信を保護するために用いなければならないかぎについて通知される。
【００４３】
ステップ４１１において，帰属ＰＳ２０８と，ターゲットＰＳと，サービス提供ＰＤＥとが通信して，ターゲットＰＤＥとＭＳ２０７との間の将来の通信路を設定する。次に帰属ＰＳ２０８は，ターゲットＰＤＥ，セキュリティかぎ，等についての情報をＭＳ２０７へ転送する。（ステップ４１３）。その結果ステップ４１５に示すように，ターゲットＰＤＥとの間で定期位置報告セッションを継続することができる。ステップ４１７において帰属ＰＳ２０８と，サービス提供ＰＳと，サービス提供ＰＤＥとが調整して，ＭＳ２０７との以前の位置セッションに関連する情報を削除する。ＰＤＥ２において状態が設定され，移動機が追跡セッションを継続するためのすべての情報を受信したとき，移動機はＰＤＥ２と通信してセッションを再開始する。また帰属ＰＳ２０８は並行してメッセージをＰＤＥ１へ送信し，定期セッションのためにＭＳ２０７に予約されている状態を解放することができる。
【００４４】
したがってＭＳ２０７は，新規ターゲットＰＤＥにおいて定期位置処理全体を再設定する。しかしＭＳ２０７が最初にSUPL_CANCELを送信し，このメッセージへの肯定応答を受信するので，更に２つのメッセージが無線インタフェース上に必要になることに留意されたい。ＭＳ２０７は，開始メッセージ，例えばSUPL_STARTメッセージ（付録に記載のとおり）を用いて定期メッセージ送信を再開始する。本発明の実施例においては，ＭＳ２０７は処理を取り消すのではなく，単に新規位置において再設定したいかも知れないので，SUPL_CANCELは送信されない。
【００４５】
またＭＳ２０７は，位置測定エンティティの非接続可能性から生じる，位置サーバへのメッセージ送信を開始することができる（付録により詳細に説明されているとおり）。例示実施例においては，非接続可能性を判定するためにタイマが設定される。すなわちタイマが時間切れになると，非接続可能性が宣言される。しかし別のシナリオにおいては，ＭＳ２０７はＰＤＥ１がプライベートアドレスを有しているかどうかを知っており，タイマが時間切れになるのを待つ必要はないので，ＭＳ２０７は待機したくないかも知れない。
【００４６】
上記の説明においてＭＳ２０７は，管理領域が新規ネットワークにおけるセッション再設定のために変更されたというトリガを受信した直後に，SUPL_CANCELを送信する。あるいはSUPL_CANCELの代わりに障害メッセージ（例えばSUPL_FAILURE）が用いられる。ＭＳ２０７から帰属ＰＳ２０８へのこの障害メッセージは，既存標準のSUPL_FAILUREメッセージの修正物であってよい。既存のSUPL_FAILUREメッセージは，SUPL_INIT又はSUPL_FAILUREのいずれかにエラーがあるときだけ送信される。
【００４７】
代替実施例においては，ＭＳ２０７上のＬＣＳクライアント２１７が管理領域変更についてトリガを受信したとき，ＭＳ２０７は既存の定期追跡セッションを取り消すために取消しメッセージ，例えばSUPL_CANCELメッセージを帰属ＰＳ２０８へ送信する。帰属ＰＳ２０８はこのメッセージを受信したとき，前のネットワークにおけるＰＤＥの状態を解放する。そしてＭＳ２０７は，SUPL_STARTのような開始メッセージを帰属ＰＳ２０８へ送信して新規領域におけるもう１つの定期セッションを開始する。この開始メッセージは，ＭＳ２０７を唯一に特定するために十分な情報を規定する。定期セッションを取消し及び開始する方法は，例えば第３世代パートナシッププロジェクト２（３ＧＰＰ２）ＩＰ−ＬＣＳ仕様書，TSG-X(CSN) X.P0024-04 v0.13に記載されている。
【００４８】
図５は，本発明の実施例による，位置測定エンティティがパブリック（すなわち大域）ネットワークアドレスを有するとき（非プロキシモードの場合）信号通知を行う，プロトコルのフロー図である。ＭＳ２０７が別の領域に入ったことをいったん認識すると，ＭＳ２０７は前のＰＤＥと通信したくないかも知れない（これは例えばあるネットワークポリシによる）ことに注意されたい。このシナリオによれば，ＭＳ２０７はステップ５０１に示すとおり，定期位置報告セッションにおいて帰属ＰＳ２０８と通信している。ステップ５０３及び５０５に示すとおりＭＳ２０７は，サービス提供ＰＤＥへ位置報告を継続しようとするが，後者はその通信を受け付けずにエラーメッセージで応答する。
【００４９】
ＭＳ２０７がＰＤＥ１と通信することを決定したとき，ＭＳ２０７は例えば，送信制御プロトコル（ＴＣＰ）セッション継続性が実装されている（例えばＷＴＬＳの場合）と仮定してＴＣＰを再設定する。ＷＴＬＳはセキュアソケット層又はトランスポート層セキュリティ（ＳＳＬ又はＴＬＳ）を用いるものであり，携帯電話機及びパーソナルデジタルアシスタント（ＰＤＡ）のようなワイヤレスアプリケーションプロトコル（ＷＡＰ）デバイスが採用している。そしてＭＳ２０７は，移動機のＩＰアドレスが新規ネットワークにおいては変わるのでＰＤＥ１とＴＬＳ−ＰＳＫを再開する。
【００５０】
ＰＤＥ１が何らかの理由でこのメッセージを受け付けないとき（例えばメッセージが別のＩＰアドレスからのものであるとき），ＰＤＥ１は適切なエラーメッセージをＭＳ２０７へ送信し，そしてＭＳ２０７は帰属ＰＳ２０８との通信を開始してケース１の種々の実施例において説明したとおり，ＰＤＥ２の状態を再設定する。たとえＰＤＥ１がＭＳ２０７からのメッセージを潜在的に別のＩＰアドレスから受け付けるときであっても，ＰＤＥ１は依然としてＭＳ２０７にサービスを提供することを拒否するかも知れない。この拒否は，種々の理由から派生する可能性がある。例えば移動機の現在の位置は，ＰＤＥ１がサービスを提供している範囲を超えているかも知れないし，ＰＤＥ１が現在別管理領域にローミングしているＭＳ２０７にサービスを提供したくないかも知れない。
【００５１】
理由にかかわらず，ＰＤＥ１がＭＳ２０７にサービスを提供しないことを決定したときは，ＭＳ２０７が新規接続点において定期位置情報サービスを受けられるように，適切な措置が取られる。ステップ５０７において，サービス提供ＰＳ２０９と帰属ＰＳ２０８とが通信して，ＭＳ２０７が新規１に移動したことを知り，サービス提供ＰＤＥの状態情報を削除するように調整する。ステップ５０９〜５１７は，図４の処理ステップに類似している。
【００５２】
一実施例においては，ＰＤＥ１はエラーメッセージをＭＳ２０７へ送信することができる。このエラーメッセージを受信するとＭＳ２０７は，適切なメッセージを送信して帰属ＰＳ２０８と通信することができる。帰属ＰＳ２０８はこのメッセージを受信すると図４に関連する実施例の１つで説明したものと類似の方法で動作し，ＭＳ２０７に適切なサービスが提供されるように新規管理領域の状態を再設定する。
【００５３】
あるいはＰＤＥは，ＰＤＥ１がＭＳ２０７にもはやサービスを提供できないことを示すために，サービス提供ＰＳ２０９を介して帰属ＰＳ２０８とのメッセージ通信を開始してもよい。またこのメッセージは，帰属ＰＳ２０８がセッションを識別するために必要な情報を含むことができる。更にこのメッセージは，ＦＱＤＮ及び新規領域におけるＭＳ２０７のＩＰアドレスを含んでもよい。このようなメッセージを受信すると，帰属ＰＳ２０８はセキュアメッセージを開始して新規ターゲットＰＳ及びＰＤＥを設定することができる。新規領域内のＭＳ２０７にサービスを提供するために，ターゲットＰＳ及びＰＤＥ（例えばＰＤＥ２）において，セキュアに新規状態が設定される。
【００５４】
更に帰属ＰＳ２０８は，ＭＳ２０７が将来ターゲットＰＤＥとセキュア通信を設定するために十分な情報を含むメッセージによって，ＰＤＥにおける変更についてＭＳ２０７に通知する。このメッセージは，例えばショートメッセージサービス（ＳＭＳ），ＷＡＰ（ワイヤレスアプリケーションプロトコル）Ｐｕｓｈ又は専用ＩＰメッセージとして転送することができる。本発明の一実施例によれば，ＰＤＥ１はまたＭＳ２０７へ適切なエラーメッセージを送信して，ＭＳ２０７にＰＤＥ１がそのような動作を行ったことを通知する。ＭＳ２０７が新規情報を受信すると，ＭＳ２０７はＰＤＥ２において定期追跡セッションを再開することができる。
【００５５】
前に説明したとおり，プロキシを用いた定期追跡セッション中ＭＳ２０７とＰＤＥ１との間のすべての情報は，帰属ＰＳ２０８を介して交換される。ＭＳ２０７が定期追跡セッション中に新規領域からの通信を開始すると，帰属ＰＳ２０８は最初にこのメッセージを受信することになる（新規ＩＰアドレスの移動機と帰属ＰＳとの間でＴＣＰセッション及びＴＬＳ−ＰＳＫが再開されると仮定する）。帰属ＰＳ２０８はこのメッセージを受信すると，移動機のＩＰアドレスのようなメッセージに含まれる情報によって，ＭＳ２０７が新規管理領域に移動したことを知る。帰属ＰＳ２０８が現在のＰＤＥ（すなわちＰＤＥ１）を判定し，引き続き移動機にサービスを提供できるときは，帰属ＰＳ２０８はこのメッセージをＰＤＥ１へ転送する。
【００５６】
新規位置においてＰＤＥ１が移動機にサービスを提供できるかどうかを判定する処理は，現在のサービス提供ＰＳ及びＰＤＥ１と通信するステップを含んでもよい。しかしＰＤＥ１が帰属ＰＤＥであるとき（この場合サービス提供ＰＳと帰属ＰＳ２０８とは同一である），帰属ＰＳ２０８は，帰属ＰＤＥが新規位置において移動機にサービスを提供できるかどうかを自身で判断することができる。帰属ＰＳ２０８がこれを自身で確認できないときは，これを確認するために，帰属ＰＤＥを含む種々のネットワークコンポーネントにメッセージを送信してもよい。帰属ＰＳ２０８がＰＤＥを変更する必要があると判定したとき，帰属ＰＳ２０８はＰＤＥ２における状態を再設定するために適切なメッセージ通信を行う。
【００５７】
帰属ＰＳ２０８は最初にターゲットＰＳ及びＰＤＥ（ＰＤＥ２）を判定する。これは近くのＤＮＳサーバと通信するステップを含むいくつかの技法を用いて達成することができる。そして帰属ＰＳ２０８は，ターゲットＰＤＥが移動機の位置情報要求に応じることができることを確かめるために，ターゲットＰＳ及びＰＤＥとセキュアに通信する。ターゲットＰＤＥが応じることができるときは，ターゲットＰＤＥ及びＰＳにおいて状態が設定される。新規ＰＤＥ及びＰＳにおいてそのような状態が設定されると，帰属ＰＳ２０８はまた移動機にＰＤＥの変更を通知することができる。しかし例示実施例においてはこの通知は任意選択である。
【００５８】
移動機がＰＤＥと通信する際にエンド−ツ−エンドセキュリティを用いるときは，帰属ＰＳ２０８はまた，新規ＰＤＥにおいて移動機とのセキュア通信を可能にするかぎを設定する。このメッセージを受信すると移動機は帰属ＰＳ２０８を介して新規ＰＤＥと通信し，次にその位置を測定する必要がある。そしてＰＤＥ２は移動機の位置を測定することを支援する。
【００５９】
前に説明したとおり，移動機が現在の定期セッションを継続することを帰属ＰＳ２０８が許可しない場合には，帰属ＰＳ２０８は，移動機及びこの移動機の位置情報を必要とする位置情報利用エージェント（例えばネットワーク又は移動機のいずれかを利用する）に適切なエラーメッセージ（又は取消しメッセージ）によってこの決定を通知する。移動機は新規管理領域における移動機の定期追跡セッションを再設定する。
【００６０】
代替実施例においては，移動機は管理領域変更を検出すると，現在のＰＤＥが移動機の新規位置における定期追跡セッションの要求条件を依然として満足できるか確かめるために，帰属ＰＳ２０８と特定のメッセージ通信を開始してもよい。そのような信号を受信すると帰属ＰＳ２０８は，図５に関して前に説明したとおり新規ＰＤＥの状態を設定する。
【００６１】
代替実施例においては，移動機上のＬＣＳクライアントは管理領域変更についてのトリガを受信すると，既存の定期追跡セッションを取り消すために，SUPL_CANCELメッセージのようなメッセージを帰属ＰＳ２０８へ送信する。帰属ＰＳはこのメッセージを受信すると，前のネットワークのＰＤＥの状態を解放する。そして移動機は新規領域において別の定期セッションを開始するために，帰属ＰＳ２０８へ別のメッセージ（例えばSUPL_START）を送信する。開始メッセージは，移動機を識別するために十分な情報を含んでいる必要がある。定期セッションを取消し及び開始する方法は，現行の３ＧＰＰ２仕様書に記載されている。
【００６２】
図６Ａ及び６Ｂは，本発明の実施例による，管理領域変更を検出するターゲット移動機を含むフロー図である。この例において説明する信号方式は，定期位置報告セッション中に帰属ＰＤＥ領域から出る移動機にも適用可能である。例としてこの信号方式はＴＩＡ−８０１仕様書（例えばC.S0022-A v1.0，"Position Determination Service for cdma2000 Spread Spectrum Systems"，２００４年４月）に適合する。ここにこの仕様書全体を参照する。次の表１に，図６Ａ及び６Ｂの処理に用いるメッセージ及びパラメータを掲げる。
【表１】
2008546343.tif 000003
【００６３】
ターゲットＭＳ２０７が新規管理領域に入り，サービス提供ＰＤＥに接続できないことを判定したとき，ターゲットＭＳ２０７は帰属ＰＳ２０８にSUPL_STARTを再開始する。ターゲットＭＳ２０７は，DURATIONパラメータが既に実行した測位に整合するように調整し，POSMODEパラメータ値をServing PDE handoffに設定する。ターゲットＭＳ２０７は，付録に記載されているとおり同一のPOSMODEパラメータ値を再利用する。しかしターゲットＭＳ２０７は，管理領域変更によってSUPL_STARTを送信する判断を行う。この場合を唯一に特定するために，例えば別のPOSMODE値を用いることもできる。帰属ＰＳ２０８は新規ターゲットＰＳと通信して新規ＰＤＥを割当て，定期位置報告セッションのために割り当てられたすべての資源を解放するよう元のサービス提供ＰＳ（及びサービス提供ＰＤＥ）に指示する。
【００６４】
図６Ａに示すように定期一方向セッションが実行中である（ステップ６０１）。ステップ６０３においてＭＳは管理領域の変更があり，例えばサービス提供ＰＤＥがプライベートＩＰアドレスを有しているために，サービス提供ＰＤＥに接続できないことを判定する。ターゲットＭＳ２０７は帰属ＰＳ２０８へセキュアＩＰコネクションを設定し，ステップ６０５で帰属ＰＳ２０８へ新規のSUPL_STARTを送信する。LCS_CORRIDパラメータは，定期位置報告セッションのために元々指定されていた値に設定される。DURATIONパラメータは，定期測位セッションの残りの期間を反映するように設定される。POSMODEパラメータは，これがハンドオフ要求であることを帰属ＰＳ２０８に示すためにServing PDE handoffを示すように設定される。この場合を唯一に特定するために，新規POSMODE値も使うことができることに注意されたい。
【００６５】
帰属ＰＳ２０８がターゲットＰＳのＩＰアドレスを有していないときは，帰属ＰＳ２０８は受信したＳＩＤ及びＮＩＤパラメータ値（例えば，NID.SID.cdma.lcs_manager.lcs.net）を用いてＦＱＤＮを作成する。帰属ＰＳ２０８は，ターゲットＭＳ２０７が新規管理領域に入ったことを判定する。ステップ６０７において，帰属ＰＳ２０８は上記のＦＱＤＮを用いてＤＮＳに問い合わせを行う。あるいは，帰属ＰＳ２０８がターゲットＭＳ２０７からSUPL_STARTメッセージの一部として受信したＩＰ層情報を用いて，領域変更を判定することもできることに注意されたい。
【００６６】
帰属ＰＳ２０８はターゲットＰＳへセキュアＩＰコネクションを設定し，ターゲットＰＳへPS_REQを送信する（ステップ６０９）。帰属ＰＳ２０８はステップ６０７においてＭＳから受信したパラメータを含み，かつ帰属ＰＳ２０８を識別するために設定されたPS_IDを含む。POSREQTYPEパラメータは，Ａ−ＧＰＳを示す（すなわち測位モードが用いられている）ように設定される。ターゲットＰＳは，前のサービス提供ＰＤＥからはハンドオフに関するどんな情報も必要としない。
【００６７】
ターゲットＰＳは，位置情報要求が承認済みエンティティ（すなわち帰属ＰＳ２０８）から受信されたことを検証する。ターゲットＰＳはＰＤＥを選択し，位置測定のためにＰＤＥ資源の割当てを要求するPDE_REQをターゲットＰＤＥに送信する（ステップ６１１）。ターゲットＰＳは帰属ＰＳ２０８から受信したパラメータを中継する。
【００６８】
ステップ６１３においてターゲットＰＤＥは位置測定のために資源を割当て，ターゲットＰＳへPDE_ACKを送信する。これに対する応答は，例えばターゲットＰＤＥとターゲットＭＳ２０７との間のセキュア通信に必要なポート番号及びほかの情報要素を含む。本発明の一実施例によれば，ＰＤＥは位置測定のために必要なほかのパラメータを含んでもよい。
【００６９】
ターゲットＰＳは帰属ＰＳ２０８へターゲットＰＤＥの情報を返送する（ステップ６１５）。ステップ６１７において帰属ＰＳ２０８は，ターゲットＰＤＥのアドレス情報をＭＳに返送する。RESPONSE_TYPEパラメータは，Proceed with [TIA-801]，すなわち非プロキシモードを示すように設定される。ＭＳは帰属ＰＳ２０８へのＩＰコネクションを解放する。
【００７０】
ステップ６１９において，帰属ＰＳ２０８はサービス提供ＰＳへPS_REQ_CANCELメッセージを送信する。サービス提供ＰＳは，定期位置報告セッションに割り当てられたすべての資源を解放する。サービス提供ＰＳは元のサービス提供ＰＤＥへPDE_REQ_CANCELを送信する（ステップ６２１）。ＰＤＥは，定期位置報告セッションに割り当てられたすべての資源を解放する。
【００７１】
ステップ６２３において，ターゲットＭＳ２０７は新規に指定されたターゲットＰＤＥへセキュアＩＰコネクションを設定してＰＤＥへSUPL_POSを送信する。SUPL_POSは，初期位置メッセージ（例えば[TIA-801]メッセージ）を含む。
【００７２】
ステップ６２５において，位置メッセージ（例えば[TIA-801]メッセージ）が交換され，ターゲットＭＳ２０７の位置情報がターゲットＭＳ２０７において利用可能である。各[TIA-801]メッセージは，ターゲットＭＳ２０７とターゲットＰＤＥとの間で送信されるSUPL_POSに含まれる。[TIA-801]セッションが完了したとき，ＭＳはこの位置情報要求に関連するすべての資源を解放する。ターゲットＰＤＥは，記録のためにＭＳに供給される[TIA-801]サービス種別を示すPDE_REPORTをターゲットＰＳへ送信する（ステップ６２７）。ステップ６２９においてターゲットＰＳは，記録のためにＭＳに供給される[TIA-801]サービス種別を示すPS_REPORTを帰属ＰＳ２０８へ送信する。ステップ６３１において定期位置報告セッションは継続する。
【００７３】
これまで説明したシナリオは，新規領域内の移動機の位置でターゲットＰＳ及びＰＤＥを判定する帰属ＰＳ２０８を含んでいる。しかしこの判定は，ターゲットネットワークにおけるどの承認済みノードにおいても可能であることが期待される。ターゲットネットワークは，移動機が帰属ネットワークの領域から出た後のその移動機のサービス提供ネットワークである。承認済みノード（例えばサービス提供ＰＳ２０９）は，帰属ＰＳ２０８と類似に機能し，移動機にターゲットＰＳ及びＰＤＥを指定し，そしてそれを移動機に通知することができる。あるいは，ＰＤＥ及びサービス提供ＰＳにおける移動機と関連する状態は，それぞれターゲットＰＤＥ及びＰＳに直接転送してもよい。したがって帰属ＰＳ２０８は，この局所的状態シフトを通知できる。
【００７４】
ターゲットＰＳ及びＰＤＥに関する決定が局所的に行われる別の実施例によれば，移動機は新規領域に入ったとき，新規ターゲットＰＳを見付けるために局所参照を行うことができる。移動機は帰属ＰＳ２０８に，状態を新規ＰＳ及びＰＤＥに移動させるように要求することを通知するか，又はターゲットＰＳ及びＰＤＥにおいて状態を生成する機能を実行するかいずれかである。
【００７５】
説明した方法及び構成は，移動機が新規管理領域に入ったとき有利に位置情報報告を継続できるようにする。
【００７６】
当業者であれば，複数の管理領域をまたがる定期追跡に対応する図３〜６Ｂの処理は，ソフトウェア，ハードウェア（例えばはん用プロセッサ，デジタル信号処理（ＤＳＰ）チップ，特定用途集積回路（ＡＳＩＣ），フィールドプログラマブルゲートアレイ（ＦＰＧＡ），など），ファームウェア，又はこれらの組合せで実現できることを認識するであろう。説明した機能を実行する例示ハードウェアについて，以降詳しく述べる。
【００７７】
図７は，本発明の種々の実施例を実現することができる例示ハードウェアを示す図である。計算システム７００は，情報を伝えるバス７０１又はほかの通信機構と，バス７０１に接続され情報を処理するプロセッサ７０３と，を含む。また計算システム７００は，バス７０１に接続され，情報及びプロセッサ７０３が実行する命令を記憶する，ランダムアクセスメモリ（ＲＡＭ）又はほかの動的記憶デバイスのような，主メモリ７０５も含む。また主メモリ７０５は，プロセッサ７０３が命令を実行する際に，一時変数又はほかの中間情報を記憶するためにも用いられる。更に計算システム７００は，バス７０１に接続された読み出し専用メモリ（ＲＯＭ）７０７又はほかの静的記憶デバイスを含む。磁気ディスク又は光ディスクのような記憶デバイス７０９は，情報及び命令を永続的に記憶するためにバス７０１に接続される。
【００７８】
計算システム７００は，ユーザに情報を表示するために，液晶ディスプレイ又はアクティブマトリクスディスプレイのようなディスプレイ７１１にバス７０１を介して接続することができる。英数字及びほかのキーを含むキーボードのような入力デバイス７１３は，情報及びコマンド選択をプロセッサ７０３に伝えるために，バス７０１に接続することができる。入力デバイス７１３は，プロセッサ７０３に方向情報及びコマンド選択を伝え，ディスプレイ７１１上のカーソルの動きを制御するために，マウス，トラックボール又はカーソル方向キーのようなカーソル制御を含んでもよい。
【００７９】
本発明の一実施例によれば，（無線接続ネットワーク内のサーバ処理のような）説明した処理は，主メモリ７０５に含まれる命令の組合せを実行するプロセッサ７０３に応答して，計算システム７００によって行うことができる。このような命令は，記憶デバイス７０９のような別の計算機可読媒体から主メモリ７０５へ読み込むことができる。主メモリ７０５に含まれる命令の組合せを実行することによって，プロセッサ７０３がここに説明した処理ステップを実行する。また多重処理構成における１又は複数のプロセッサを，主メモリ７０５に含まれる命令を実行するために用いることもできる。代替実施例においては，本発明の実施例を実現するために，ソフトウェア命令の代わりに，又はそれと組み合わせて，布線回路を用いてもよい。別の例においては，フィールドプログラマブルゲートアレイ（ＦＰＧＡ）のような再構成可能ハードウェアを用いてもよく，この場合ＦＰＧＡの論理ゲートの機能及び接続トポロジを実行時に，通常はメモリ参照テーブルをプログラムすることによって個別化することができる。このように本発明の実施例は，ハードウェア回路とソフトウェアとのどのような特定の組合せにも制約されない。
【００８０】
計算システム７００はまた，バス７０１に接続された少なくとも１つの通信インタフェース７１５も含む。通信インタフェース７１５は，ネットワークリンク（図示していない）に接続した双方向データ通信を提供する。通信インタフェース７１５は，種々の種別の情報を表すデジタルデータストリームを搬送する電気信号，電磁気信号又は光信号を送受信する。更に通信インタフェース７１５は，はん用直列バス（ＵＳＢ）インタフェース，ＰＣＭＣＩＡ（パーソナル計算機メモリカード国際協会）インタフェース，などのような周辺インタフェースデバイスを含んでもよい。
【００８１】
プロセッサ７０３は送信されたコードを，受信中に実行し，及び／又は後で実行するために記憶デバイス７０９又は不揮発性記憶に記憶してもよい。この方法において，計算システム７００は，搬送波の形態でアプリケーションコードを取得することができる。
【００８２】
ここで用いた「計算機可読媒体」という用語は，プロセッサ７０３が実行する命令を供給することにかかわる任意の媒体を指すものとする。このような媒体は，不揮発性媒体と，揮発性媒体と，伝送媒体と，を含むがこれに限らない多くの形態を取ることができる。不揮発性媒体は例えば，記憶デバイス７０９のような光ディスク又は磁気ディスクを含む。揮発性媒体は，主メモリ７０５のようなダイナミックメモリを含む。伝送媒体は，バス７０１をなす有線を含む同軸ケーブル，銅線，及び光ファイバを含む。伝送媒体はまた，無線周波（ＲＦ）データ通信及び赤外線（ＩＲ）データ通信の際に発生されるような，音波，光波又は電磁波の形態をとってもよい。計算機可読媒体の共通形態は，例えばフロッピ（登録商標）ディスク，フレキシブルディスク，ハードディスク，磁気テープ，任意のほかの磁気媒体，ＣＤ−ＲＯＭ，ＣＤ−ＲＷ，ＤＶＤ，任意のほかの光媒体，パンチカード，紙テープ，光学マークシート，穴パターンを有する任意のほかの物理媒体又はほかの光学的認識可能媒体，ＲＡＭ，ＰＲＯＭ及びＥＰＲＯＭ，フラッシュＥＰＲＯＭ，任意のほかのメモリチップ又はカートリッジ，搬送波，又は計算機が読み取ることができる任意のほかの媒体を含む。
【００８３】
種々の形態の計算機可読媒体が，プロセッサに実行のための命令を供給することにかかわってもよい。例えば，本発明の実施例の少なくとも一部を実行する命令は，始めは遠隔計算機の磁気ディスク上にあってもよい。このようなシナリオにおいては，遠隔計算機は主メモリに命令をロードし，その命令をモデムを用いて電話線を介して送信する。局所システムのモデムが電話線上のデータを受信し，赤外線送信器を用いてデータを赤外線信号に変換して，その赤外線信号をパーソナルデジタルアシスタント（ＰＤＡ）又はラップトップのような可搬型計算デバイスへ送信する。可搬型計算デバイス上の赤外線検出器が赤外線信号によって搬送される情報及び命令を受信し，データをバスに置く。バスがデータを主メモリに搬送し，そこからプロセッサが命令を取得して実行する。主メモリが受け取った命令は，プロセッサが実行する前又は後のいずれかに，任意選択で記憶デバイスに記憶してもよい。
【００８４】
図８Ａ及び８Ｂは，本発明の種々の実施例に対応することができる種々のセルラ携帯電話システムの図である。図８Ａ及び８Ｂは例示セルラ携帯電話システムを示す図であって，それぞれ移動機（例えば携帯電話機）及び無線基地局双方が送受信器を（無線基地局及び移動機内のデジタル信号プロセッサ（ＤＳＰ），ハードウェア，ソフトウェア，集積回路，及び／又は半導体デバイスの一部として）組み込んでいる。例として無線ネットワークは，第２世代（２Ｇ）サービス及びＩＭＴ‐２０００として国際電気通信連合（ＩＴＵ）が規定したとおりの第３世代（３Ｇ）サービスに対応する。説明のために，ｃｄｍａ２０００について無線ネットワークの搬送波及びチャネル選択機能を説明する。ｃｄｍａ２０００は，ＩＳ−９５の第３世代版として３ＧＰＰ２において標準化されつつある。
【００８５】
無線ネットワーク８００は，無線基地局サブシステム（ＢＳＳ）８０３と通信する移動機８０１（例えば，携帯電話機，端末，ステーション，ユニット，デバイス，又は（「装着可能（wearable）」回路などのような）ユーザに対する任意の種別のインタフェース）を含む。本発明の一実施例によれば，無線ネットワークはＩＭＴ−２０００のためにＩＴＵが規定した３Ｇサービスに対応する。
【００８６】
この例において，ＢＳＳ８０３はＢＴＳ８０５及びＢＳＣ８０７を含む。１つのＢＴＳだけが示されているが，通常は複数のＢＴＳが例えばポイント−ツ−ポイントリンクを介してＢＳＣと接続されることを認識されたい。各ＢＳＳ８０３は，送信制御エンティティ又はＰＣＦ８１１を介してＰＤＳＮ８０９にリンクしている。ＰＤＳＮ８０９は外部ネットワーク，例えばインターネット８１３又はほかの私設消費者ネットワーク８１５，へのゲートウェイとして働くので，ＰＤＳＮ８０９はユーザの識別情報及び優先度を確かに判定し，各ユーザの活動を追跡するためにＡＡＡシステム８１７を含んでもよい。ネットワーク８１５は１又は複数のデータベース８３３にリンクしたネットワーク管理システム（ＮＭＳ）８３１を備え，上記データベースは帰属ＡＡＡ８３７が保護する帰属エージェント（ＨＡ）８３５を介して接続する。
【００８７】
１つのＢＳＳ８０３だけが示されているが，通常は移動体通信交換センタ（ＭＳＣ）８１９には複数のＢＳＳ８０３が接続されることを認識されたい。ＭＳＣ８１９は，公衆交換電話ネットワーク（ＰＳＴＮ）８２１のような回線交換電話ネットワークへの接続を行う。類似して，ＭＳＣ８１９は同一のネットワーク８００及び／又は別の無線ネットワーク上でほかのＭＳＣ８１９と接続してもよいことも認識されたい。ＭＳＣ８１９は一般に，そのＭＳＣ８１９の活性な加入者についての一時情報を保持する在圏位置レジスタ（ＶＬＲ）８２３のデータベースと併設される。ＶＬＲ８２３のデータベース内のデータは，多くは詳細な加入者サービス加入情報を記憶している帰属位置レジスタ（ＨＬＲ）８２５のデータベースの複製である。いくつかの実現例において，ＨＬＲ８２５とＶＬＲ８２３とは同一の物理データベースである。しかしＨＬＲ８２５は，例えばナンバー７信号方式（ＳＳ７）ネットワークを介して接続された遠隔地に置いてもよい。秘密認証かぎのような加入者特定認証データを含む認証センタ（ＡｕＣ）８２７は，ユーザ認証のためにＨＬＲ８２５と連携する。更にＭＳＣ８１９は，ショートメッセージを蓄積し，無線ネットワーク８００との間で転送するショートメッセージサービスセンタ（ＳＭＳＣ）８２９に接続される。
【００８８】
携帯電話システムの通常の運用中ＢＴＳ８０５は，電話呼又はほかの通信を行う移動体ユニット８０１の集合から上りリンク信号の集合を受信して復調する。特定のＢＴＳ８０５が受信した各上りリンク信号は，その基地局内で処理される。得られたデータはＢＳＣ８０７へ転送される。ＢＳＣ８０７は，各ＢＴＳ８０５間のソフトハンドオフの統率を含む呼資源割当て及び移動性管理機能を行う。またＢＳＣ８０７は受信データをＭＳＣ８１９へ配信し，ＭＳＣは次にＰＳＴＮ８２１と接続するために追加の経路制御及び／又は交換を行う。またＭＳＣ８１９は，呼設定と，呼終端と，ＭＳＣ間ハンドオーバ及び補足サービスの管理と，徴収，課金及び会計と，を行う。類似して無線ネットワーク８００は，下りリンクメッセージを送信する。ＰＳＴＮ８２１はＭＳＣ８１９と接続する。ＭＳＣ８１９は更にＢＳＣ８０７と接続し，ＭＳＣは次にＢＴＳ８０５と通信し，ＢＴＳは下りリンク信号集合を変調し，移動体ユニット８０１の集合へ送信する。
【００８９】
図８Ｂに示すとおり，はん用パケット無線サービス（ＧＰＲＳ）基盤設備８５０の２つのかぎとなる要素は，サービス提供ＧＰＲＳサポートノード（ＳＧＳＮ）８３１及びゲートウェイＧＰＲＳサポートノード（ＧＧＳＮ）８３３である。更に，ＧＰＲＳ基盤設備は，パケット制御ユニット（ＰＣＵ）８３５及び請求システム８３９にリンクした課金ゲートウェイ機能（ＣＧＦ）８３７を含む。更にＧＰＲＳにおいては，ＭＳ８４１は２つの部分，すなわち移動機８０１自体と，移動機８０１内の集積回路を含む小さなカードである加入者識別情報モジュール（ＳＩＭ）８４３と，からなる。
【００９０】
ＰＣＵ８３５は，無線インタフェース接続制御と，無線インタフェース上のパケットスケジュールと，パケット組立て及び再組立てと，のようなＧＰＲＳ関連機能を行う論理ネットワーク要素である。一般にＰＣＵ８３５は，ＢＳＣ８４５と物理的に統合されている。しかし，ＢＴＳ８４７又はＳＧＳＮ８３１と併設してもよい。ＳＧＳＮ８３１は，移動性管理と，セキュリティと，接続制御と，の機能を含むＭＳＣ８４９と均等な機能をパケット交換領域において提供する。更にＳＧＳＮ８３１は，例えばフレームリレーを用いたインタフェースを介し，ＢＳＳ ＧＰＲＳプロトコル（ＢＳＳＧＰ）を用いて，ＰＣＵ８３５と接続する。１つのＳＧＳＮだけが示されているが，複数のＳＧＳＮ８３１を用い，サービス範囲を対応する配信範囲（ＲＡ）に分割してもよいことを認識されたい。実行中のパケットデータプロトコル（ＰＤＰ）コンテキストにおいてＲＡ更新が行われたときは，ＳＧＳＮ−ＳＧＳＮ間インタフェースによって旧ＳＧＳＮから新規ＳＧＳＮへパケットトンネリングを行うことができる。特定のＳＧＳＮは複数のＢＳＣ８４５にサービスを提供できるが，一般にどの特定のＢＳＣ８４５も１つのＳＧＳＮ８３１と接続する。またＳＧＳＮ８３１は任意選択で，ＳＳ７を用いたインタフェースを介し，ＧＰＲＳ強化移動体アプリケーション部（ＭＡＰ）を用いてＨＬＲ８５１と，又はＳＳ７を用いたインタフェースを介し，信号通知コネクション制御部（ＳＣＣＰ）を用いてＭＳＣ８４９と，接続する。ＳＧＳＮ−ＨＬＲ間インタフェースによって，ＳＧＳＮ８３１はＨＬＲ８５１へ位置情報更新を行い，ＳＧＳＮサービス範囲内のＧＰＲＳ関連加入情報を取得することができる。ＳＧＳＮ−ＭＳＣインタフェースによって，音声呼のために加入者を呼び出すステップのような，回線交換サービスとパケット交換サービスとの調整が可能になる。最後にＳＧＳＮ８３１はＳＭＳＣ８５３と接続して，ネットワーク８５０上のショートメッセージ機能を可能にする。
【００９１】
ＧＧＳＮ８３３は，インターネット８１３又はほか私設顧客ネットワーク８５５のような外部パケットデータネットワークへのゲートウェイである。ネットワーク８５５は，ＰＤＳＮ８６１を介して接続できる１又は複数のデータベース８５９とリンクしたＮＭＳ８５７を備える。ＧＧＳＮ８３３はＩＰアドレスを指定し，また遠隔認証ダイヤルインユーザサービス（ＲＡＤＩＵＳ）のホストとして，ユーザを認証することができる。またＧＧＳＮ８３３に設置したファイヤウォールは，非承認トラヒックを制限するファイヤウォール機能を実行する。１つのＧＧＳＮ８３３だけが示されているが，特定のＳＧＳＮ８３１は１又は複数のＧＧＳＮ８３３と接続し，ユーザデータが２つのエンティティ間及びネットワーク８５０との間をトンネリングされるようにする。外部データネットワークがＧＰＲＳネットワーク８５０上でセッションを開始したとき，ＨＬＲ８５１にＧＧＳＮ８３３は現在ＭＳ８４１にサービスを提供しているＳＧＳＮ８３１について問い合わせを行う。
【００９２】
ＢＴＳ８４７及びＢＳＣ８４５は，どのＭＳ８４１がいつ無線チャネルに接続するかを制御するステップを含んで，無線インタフェースを管理する。これらの要素は本質的にＭＳ８４１とＳＧＳＮ８３１との間のメッセージを中継する。ＳＧＳＮ８３１は，ＭＳ８４１との通信と，データ送受信と，ＭＳの位置追跡と，を管理する。ＳＧＳＮ８３１はまた，ＭＳ８４１を登録し，ＭＳ８４１を認証し，そしてＭＳ８４１へ送信するデータを暗号化する。
【００９３】
図９は，本発明の実施例による，図８Ａ及び８Ｂのシステムにおいて動作することができる移動機（例えば携帯電話機）の例示コンポーネントの図である。一般に無線受信器は，しばしばフロントエンド特性と，バックエンド特性とに関して規定される。受信器のフロントエンドは無線周波（ＲＦ）回路すべてを含み，一方バックエンドはベースバンド処理回路すべてを含む。電話機の関連内部コンポーネントは，主制御ユニット（ＭＣＵ）９０３と，デジタル信号プロセッサ（ＤＳＰ）９０５と，マイクロホン利得制御ユニット及びスピーカ利得制御ユニットを含む受信器送信器ユニットと，を含む。主ディスプレイユニット９０７は，種々のアプリケーション及び移動機機能を支援して，ユーザに表示を行う。オーディオ機能回路９０９は，マイクロホン９１１と，マイクロホン９１１からの音声信号出力を増幅するマイクロホン増幅器と，を含む。増幅したマイクロホン９１１からの音声信号出力は，符号器復号器（コーデック）９１３に供給される。
【００９４】
無線セクション９１５は，移動体通信システム（例えば図８Ａ及び８Ｂのシステム）に含まれる無線基地局とアンテナ９１７を介して通信するために，電力を増幅し，周波数を変換する。電力増幅器（ＰＡ）９１９及び送信器変調回路は，ＭＣＵ９０３に反応して動作し，ＰＡ９１９からの出力は，当業においては既知のように，分波器９２１，サーキュレータ又はアンテナスイッチに接続される。
【００９５】
使用中ＭＳ９０１のユーザはマイクロホン９１１に向かって話をし，その声は任意の検出された背景雑音と共にアナログ電圧に変換される。そしてアナログ電圧はアナログデジタル変換器（ＡＤＣ）９２３によってデジタル信号に変換される。制御ユニット９０３はデジタル信号を，音声符号化と，チャネル符号化と，暗号化と，インタリーブと，のような処理のためにＤＳＰ９０５に配信する。例示実施例においては，処理した音声信号はＣＤＭＡのセルラ送信プロトコルを用いて，個別には図示していないユニットによって符号化される。上記プロトコルの詳細は，電気通信産業協会（ＴＩＡ）の仕様書，TIA/EIA/IS-95-A，"Mobile Station-Base Station Compatibility Standard for Dual-Mode Wideband Spread Spectrum Cellular System"に記載されており，ここにその全体を参照する。
【００９６】
そして符号化された信号は，空間伝送中に生じる位相ひずみ及び振幅ひずみのような周波数依存劣化を補償するために等化器９２５に配信される。ビットストリームを等化した後，変調器９２７は信号をＲＦインタフェース９２９において発生したＲＦ信号と混合する。変調器９２７は周波数変調又は位相変調された正弦波を発生する。信号の送信に備えてアップコンバータ９３１が変調器９２７からの正弦波出力と，シンセサイザ９３３によって発生した別の正弦波とを混合して，所望の送信周波数を得る。そして信号はＰＡ９１９に送られて適切な電力レベルまで増幅される。実際のシステムにおいては，ＰＡ９１９は可変利得増幅器として動作し，その利得はネットワークの無線基地局から受信した情報によって，ＤＳＰ９０５が制御する。そして信号は分波器９２１内でろ波され，任意選択で最大電力転送を得るためのインピーダンス整合のためにアンテナ結合器９３５に送られる。最後に信号はアンテナ９１７を介して近くの無線基地局へ送信される。受信器の最終段利得を制御するために，自動利得制御（ＡＧＣ）を用いてもよい。信号はここから，別のセルラ電話機，別の携帯電話機，若しくはＰＳＴＮ又はほかの電話ネットワークに接続された地上回線の電話機であってもよい遠隔の電話機へ転送される。
【００９７】
移動機９０１に送信された音声信号は，アンテナ９１７を介して受信され，低雑音増幅器（ＬＮＡ）９３７によって直ちに増幅される。ダウンコンバータ９３９が搬送周波数を下げ，一方復調器９４１がＲＦを除去してデジタルビットストリームだけを残す。そして信号は等化器９２５を通過して，ＤＳＰ９０５によって処理される。デジタルアナログ変換器（ＤＡＣ）９４３が信号を変換して，得られた出力はスピーカ９４５を通じてユーザに送信される。これらはすべて，中央処理ユニット（ＣＰＵ）（図示していない）として実現できるＭＣＵ９０３の制御下で行われる。
【００９８】
ＭＣＵ９０３はキーボード９４７からの信号を含む種々の信号を受信する。ＭＣＵ９０３は，表示コマンドをディスプレイ９０７へ，切替えコマンドを音声出力切替え制御器へ，それぞれ配信する。更にＭＣＵ９０３は，ＤＳＰ９０５と情報を交換し，任意選択で組み込まれたＳＩＭカード９４９及びメモリ９５１を利用することができる。更にＭＣＵ９０３は，移動機に必要な種々の制御機能を実行する。ＤＳＰ９０５は，実装に応じて，音声信号について種々の通常のデジタル処理機能を実行することができる。更にＤＳＰ９０５は，マイクロホン９１１が検出した信号から近くの環境の背景雑音レベルを測定し，移動機９０１のユーザの生まれつきの傾向を補償するために選択したレベルに，マイクロホン９１１の利得を設定する。
【００９９】
コーデック９１３は，ＡＤＣ９２３及びＤＡＣ９４３を含む。メモリ９５１は，着信音データを含む種々のデータを記憶し，例えば大域インターネットを介して受信した音楽データを含むほかのデータを記憶することもできる。ソフトウェアモジュールは，ＲＡＭ，フラッシュメモリ，レジスタ，又は当業において既知の任意形態の書き込み可能記憶媒体に常駐させることができる。メモリデバイス９５１は，１つのメモリ，ＣＤ，ＤＶＤ，ＲＯＭ，ＲＡＭ，ＥＥＰＲＯＭ，光学記憶装置，又はデジタルデータを記憶することができる任意のほかの不揮発性記憶媒体であってよいが，これらに限定するものではない。
【０１００】
任意選択で組み込まれたＳＩＭカード９４９は，例えば携帯電話番号と，通信事業者の供給サービスと，加入詳細と，セキュリティ情報と，のような重要な情報を持ち運ぶことができる。ＳＩＭカード９４９は，主として無線ネットワーク上のＭＳ９０１を識別する働きをする。ＳＩＭカード９４９はまた，個人電話帳と，テキストメッセージと，ユーザ特定移動機設定と，を記憶するメモリを含む。
【０１０１】
いくつかの実施例及び実現例を用いて本発明の種々の実施例を説明したが，本発明はそれらに限定されるものではなく，種々の明白な修正物及び均等構成物を含むものである。またこれら実施例に関連する多くの特徴は，いくつかの組合せ及び順序で実施できるものである。
【０１０２】
（付録）
【表２】
2008546343.tif 000004
【表３】
2008546343.tif 000005
【表４】
2008546343.tif 000006
【表５】
2008546343.tif 000007
【表６】
2008546343.tif 000008
【表７】
2008546343.tif 000009
【表８】
2008546343.tif 000010
【表９】
2008546343.tif 000011
【表１０】
2008546343.tif 000012
【表１１】
2008546343.tif 000013
【表１２】
2008546343.tif 000014
【表１３】
2008546343.tif 000015
【表１４】
2008546343.tif 000016
【表１５】
2008546343.tif 000017
【表１６】
2008546343.tif 000018
【表１７】
2008546343.tif 000019
【表１８】
2008546343.tif 000020
【表１９】
2008546343.tif 000021
【表２０】
2008546343.tif 000022
【表２１】
2008546343.tif 000023
【表２２】
2008546343.tif 000024
【表２３】
2008546343.tif 000025
【表２４】
2008546343.tif 000026
【表２５】
2008546343.tif 000027
【表２６】
2008546343.tif 000028
【表２７】
2008546343.tif 000029
【表２８】
2008546343.tif 000030
【表２９】
2008546343.tif 000031
【表３０】
2008546343.tif 000032
【表３１】
2008546343.tif 000033
【表３２】
2008546343.tif 000034
【表３３】
2008546343.tif 000035
【表３４】
2008546343.tif 000036
【表３５】
2008546343.tif 000037
【表３６】
2008546343.tif 000038
【表３７】
2008546343.tif 000039
【表３８】
2008546343.tif 000040
【表３９】
2008546343.tif 000041
【表４０】
2008546343.tif 000042
【表４１】
2008546343.tif 000043
【表４２】
2008546343.tif 000044
【表４３】
2008546343.tif 000045
【表４４】
2008546343.tif 000046
【表４５】
2008546343.tif 000047
【表４６】
2008546343.tif 000048
【表４７】
2008546343.tif 000049
【表４８】
2008546343.tif 000050
【表４９】
2008546343.tif 000051
【表５０】
2008546343.tif 000052
【表５１】
2008546343.tif 000053
【表５２】
2008546343.tif 000054
【表５３】
2008546343.tif 000055
【表５４】
2008546343.tif 000056
【表５５】
2008546343.tif 000057
【表５６】
2008546343.tif 000058
【表５７】
2008546343.tif 000059
【表５８】
2008546343.tif 000060
【表５９】
2008546343.tif 000061
【表６０】
2008546343.tif 000062
【表６１】
2008546343.tif 000063
【表６２】
2008546343.tif 000064
【表６３】
2008546343.tif 000065
【表６４】
2008546343.tif 000066
【表６５】
2008546343.tif 000067
【表６６】
2008546343.tif 000068
【表６７】
2008546343.tif 000069
【表６８】
2008546343.tif 000070
【表６９】
2008546343.tif 000071
【表７０】
2008546343.tif 000072
【表７１】
2008546343.tif 000073
【表７２】
2008546343.tif 000074
【表７３】
2008546343.tif 000075
【表７４】
2008546343.tif 000076
【表７５】
2008546343.tif 000077
【表７６】
2008546343.tif 000078
【表７７】
2008546343.tif 000079
【表７８】
2008546343.tif 000080
【表７９】
2008546343.tif 000081
【表８０】
2008546343.tif 000082
【表８１】
2008546343.tif 000083
【表８２】
2008546343.tif 000084
【表８３】
2008546343.tif 000085
【表８４】
2008546343.tif 000086
【表８５】
2008546343.tif 000087
【表８６】
2008546343.tif 000088
【表８７】
2008546343.tif 000089
【表８８】
2008546343.tif 000090
【表８９】
2008546343.tif 000091
【表９０】
2008546343.tif 000092
【表９１】
2008546343.tif 000093
【表９２】
2008546343.tif 000094
【表９３】
2008546343.tif 000095
【表９４】
2008546343.tif 000096
【表９５】
2008546343.tif 000097
【表９６】
2008546343.tif 000098
【表９７】
2008546343.tif 000099
【表９８】
2008546343.tif 000100
【表９９】
2008546343.tif 000101
【表１００】
2008546343.tif 000102
【表１０１】
2008546343.tif 000103
【表１０２】
2008546343.tif 000104
【表１０３】
2008546343.tif 000105
【表１０４】
2008546343.tif 000106
【表１０５】
2008546343.tif 000107
【表１０６】
2008546343.tif 000108
【図面の簡単な説明】
【０１０３】
【図１】本発明の実施例による，移動機の位置情報を利用する種々のアプリケーションに対応する無線システムアーキテクチャを示す図である。
【図２】本発明の実施例による，インターネットプロトコル（ＩＰ）を用いた位置情報サービス（ＬＣＳ）参照モデルの図である。
【図３】本発明の実施例による，管理領域外の移動機に関連するハンドオフ処理のフローチャートである。
【図４】本発明の実施例による，位置測定エンティティ（ＰＤＥ）がプライベートネットワークアドレスを有するとき（非プロキシモードの場合），信号通知を行うプロトコルのフロー図である。
【図５】本発明の実施例による，位置測定エンティティ（ＰＤＥ）がパブリック（すなわち大域）ネットワークアドレスを有するとき（非プロキシモードの場合），信号通知を行うプロトコルのフロー図である。
【図６Ａ】本発明の実施例による，管理領域変更を検出するターゲット移動機を含むフロー図である。
【図６Ｂ】本発明の実施例による，管理領域変更を検出するターゲット移動機を含むフロー図である。
【図７】本発明の実施例を実現するために用いることができるハードウェアの図である。
【図８Ａ】本発明の種々の実施例に対応できる種々の携帯電話システムの図である。
【図８Ｂ】本発明の種々の実施例に対応できる種々の携帯電話システムの図である。
【図９】本発明の実施例による，図８Ａ及び８Ｂのシステムにおいて動作できる移動機の例示コンポーネントの図である。
【図１】
2008546343.tif 000109
【図２】
2008546343.tif 000110
【図３】
2008546343.tif 000111
【図４】
2008546343.tif 000112
【図５】
2008546343.tif 000113
【図６Ａ】
2008546343.tif 000114
【図６Ｂ】
2008546343.tif 000115
【図７】
2008546343.tif 000116
【図８Ａ】
2008546343.tif 000117
【図８Ｂ】
2008546343.tif 000118
【図９】
2008546343.tif 000119
【国際調査報告】
2008546343.tif 000120
2008546343.tif 000121
2008546343.tif 000122
2008546343.tif 000123